(57)【特許請求の範囲】
【請求項１】
少なくとも導光部材と前記導光部材の側方に配設された蛍光管とを有する照明装置を枠状の基台に収納し、更に上方に前記液晶パネルと少なくとも前記液晶パネルを支持する支持部材を配設した構成を有する液晶表示ユニットに於いて、
前記基台は前記蛍光管を収納する蛍光管基台部と前記導光部材を収納する導光部材基台部とが設けられると共に前記導光部材基台部の前記蛍光管の長手方向に対応する幅が前記蛍光管基台部より短く形成されることで前記基台の外形状に段差を形成しこの段差の側方であり前記蛍光管の長手方向と交差する方向の前記導光部材基台部の側面に前記支持部材と係合するフックを前記蛍光管基台部の側面より突出することなく設け、前記導光部材基台部の下部に回路基板を配設したことを特徴とする液晶表示ユニット。
【請求項２】
前記導光部材の幅は、輝度が中央部に比べて大きく落ちる蛍光管端部を避けた寸法を有することを特徴とする請求項１に記載の液晶表示ユニット。
【請求項３】
前記蛍光管基台部の外面には、前記蛍光管の長手方向に沿って切欠部が設けられ、該切欠部に前記液晶パネルに接続されたＦＰＣを通すことで前記基台の外にＦＰＣを引出した構成を特徴とする請求項１または請求項２に記載の液晶表示ユニット。
【発明の詳細な説明】
【０００１】
【産業上の利用分野】
本発明は液晶パネルを画質表示手段とする液晶表示ユニットと液晶表示装置に関する。
【０００２】
【従来の技術】
近年、小型携帯テレビ等に見られる如く小型で携帯性が利便な液晶表示装置が各方面で利用されている。このような状況の中で各種液晶表示装置が提案されて来た。
【０００３】
液晶表示装置は、特開昭６０−２１４６８４公報及び特開昭６３−２８２７７８公報及び実開平２−７８９２６公報に見られる如く、少なくとも液晶パネルと受動素子としての機能しかもたない液晶パネルに対し液晶パネル上に表示される画像を鮮明に表示するための照明装置又はビデオ信号等に代表される液晶表示装置に外部信号源から入力又は受信される電気的信号を液晶パネル駆動信号に変換する信号処理回路を有する回路基板又は前記部材を収納する枠体より構成される。
【０００４】
液晶表示装置としては例えば、従来技術の図である図３と図４と図５に示した如く、蛍光管に代表される照明装置を液晶パネルの裏面に配置するバックライト方式と導光部材を液晶パネル下部に配置すると共に導光部材の側面に照明装置を配置したサイドライト方式に大きく分けられる。
【０００５】
図３に於いては、従来例である液晶表示装置の外観図であり、図３のＡ−Ａ断面を示したのが図４と図５である。図４に於いて、下枠９０と上枠９５とよりなる枠体の上枠９５に液晶パネル７０を保護する風防９６を配設すると共に上枠９５に風防９６を接着固定し、風防９６の下部に液晶パネル７０を配設し、液晶パネル７０下部に照明装置５５を配設し、照明装置５５の下部には回路基板８０を配設し、回路基板８０の下部に下枠９０を配設した構成をなす。図４の構成に於いて液晶パネル７０の下面に照明装置を配設しているが、照明装置の構造としては、図４に示したものの他に蛍光管５０の上方に拡散板を配設した照明装置や蛍光管５０の上方に拡散板を配設し、さらに散光板を配設した照明装置や蛍光管５０の上方に輝度分布調整板を配設した照明装置などがすでに開示されている。図４の構造は蛍光管の管径が太いほど、均一な輝度を得易い。
【０００６】
図４は、液晶パネル７０が上枠９５と照明装置５５とにより挟まれる構造で支持されており、照明装置５５と下枠９０とで回路基板８０を挟持しており、上枠９５と下枠９５とはネジにより結合された構成をなす。
【０００７】
一方サイドライト方式の従来例を図５に示す。図５に於いて照明装置以外の基本構成は図４に同じであるため、図４と図５との主な異なりである照明装置５５に関して説明を行なう。液晶パネル７０の画像を液晶パネル正面に対し斜方向からもコントラスト良く見ることができる機能を有する視角補正部材４１を液晶パネル７０の下方に配設し、視角補正部材４１の下方に、蛍光管からの光を液晶パネル７０の略全面に均一に分布させる機能を有する拡散部材４０を配設し、拡散部材４０の下方には導光部材３０を配設し、導光部材３０の側面部に蛍光管５０を配設し、導光部材３０の端部を避けて反射部材６０が蛍光管５０を巻く如く反射部材６０を配設し、基台１０に反射部材６０と蛍光管５０と導光部材３０と拡散部材４０と視角補正部材４１とを順次組立てることにより照明装置５５を完成させる。図５の構造では、蛍光管の管面輝度の高い蛍光管を用いる事と管径が細いことが大切であるが、輝度を高くすると管径が太くなってしまう。
【０００８】
【発明が解決しようとする課題】
前記従来技術を用いて携帯用液晶表示装置を得ようとするには、蛍光管５０の管径が太いためと、回路基板８０を基台１０を介して積層構造としているためとにより携帯用薄型液晶表示装置を得ることが難しかった。
【０００９】
また、一般的に、上枠９５と下枠９０は塵の多いい作業環境の中で大型射出成形機を用いて成型されている。一方、液晶表示装置は塵のほとんど無い作業環境で組み立てるのがのぞましい。
従来技術に於いては、塵の付着した上枠９５と下枠９０の中に、液晶パネル７０と視角補正部材４１と拡散部材４０と照明装置５５と回路基板８０を順次組み込むため、液晶パネル７０の面に塵が附着し、塵による画像欠陥が生じ、作業能率を悪化させると共に製品の歩留を悪くしている問題を有している。
【００１０】
【課題を解決するための手段】
前記課題を解決するために本発明の第１の手段は、少なくとも導光部材と前記導光部材の側方に配設された蛍光管とを有する照明装置を枠状の基台に収納し、更に上方に前記液晶パネルと少なくとも前記液晶パネルを支持する支持部材を配設した構成を有する液晶表示ユニットに於いて、前記基台は前記蛍光管を収納する蛍光管基台部と前記導光部材を収納する導光部材基台部とが設けられると共に前記導光部材基台部の前記蛍光管の長手方向に対応する幅が前記蛍光管基台部より短く形成されることで前記基台の外形状に段差を形成しこの段差の側方であり前記蛍光管の長手方向と交差する方向の前記導光部材基台部の
側面に前記支持部材と係合するフックを前記蛍光管基台部の側面より突出することなく設け、前記導光部材基台部の下部に回路基板を配設したことを特徴とする。
【００１１】
前記課題を解決するために本発明の第２の手段は、本発明の第１の手段において、前記導光部材の幅は、輝度が中央部に比べて大きく落ちる蛍光管端部を避けた寸法を有することを特徴とする。
前記課題を解決するために本発明の第３の手段は、本発明の第１の手段または本発明の第２の手段において、前記蛍光管基台部の外面には、前記蛍光管の長手方向に沿って切り欠きが設けられ、該切欠部に前記液晶パネルに接続されたＦＰＣを通すことで前記基台の外にＦＰＣを配設した構成を特徴とする。
【００１７】
【作用】
前記課題を解決する手段により、少なくとも液晶パネル又は視角補正部材又は拡散部材又は光調整部材又は導光部材又は蛍光管又は反射部材をユニット化できるためユニット部分のみを塵の少ない環境で組立てることにより液晶表示ユニット内の塵を防止でき、液晶表示ユニット及び液晶表示装置の組立作業設備も簡素化できるため、画面品質の向上とコストダウンが得られる。
【００１８】
また、液晶表示ユニットの１つの側面部に蛍光管を配設し、液晶表示ユニットに於ける蛍光管以外の部分を蛍光管部より薄くし、薄くした部分の下部に回路基板を配設する構成としたため、従来技術に比べ格段の差をもって超薄型液晶表示装置が得られる。
【００１９】
【実施例】
以下図面により実施例を説明する。図１は本発明の実施例を示す液晶表示ユニット及び液晶表示装置の分解図の一部分図である。図１に於いて上枠９５は省略されている。図２は本発明の実施例図である図１に於けるＢ−Ｂ断面図である。図２には上枠９５を配設した状態を示している。図１に於いて液晶表示ユニット１は、基台１０と導光部材３０と拡散部材４０と蛍光管５０と反射部材６０と液晶パネル７０と支持部材２０とで構成されており、図２に於いて液晶表示装置２は、前記液晶表示ユニット１を上下から挟持する上枠９５と下枠９０と液晶表示ユニット１より構成される。
【００２０】
液晶表示ユニット１の基台１０には、蛍光管５０と反射部材６０とが収納される。また基台１０には蛍光管基台部１１と主に導光部材３０と拡散部材４０と液晶セル７０が収納される導光部材基台部１２が設けられており、さらに基台１０の側面にはフック部１３が設けられている。
【００２１】
また蛍光管基台部１１は、蛍光管５０の外形寸法に略等しく形成され、導光部材基台部１２より厚みは厚く形成されるため、基台１０は、蛍光管基台部１１と導光部材基台部１２との間で段差を形成する。
蛍光管基台部１１は蛍光管の長さに略等しく形成し、蛍光管５０の横に位置する導光部材基台１２と導光部材３０の寸法は、蛍光管発光輝度が中央部に比べ極めて劣る蛍光管５０の端部を避けた寸法構成をなしている。
【００２２】
一方、基台１０に配設した前記各種部材を基台１０と挟持する如く、支持部材２０を液晶セル７０の上方に配設する。支持部材２０には基台１０のフック部１３と結合するための切溝２１が配設されている。
また支持部材２０は、蛍光管５０の上部と液晶セル７０の画像表示範囲に略等しい部分である見切部２２の近辺を覆う構成をなす。
【００２３】
図２を用いて組立方法を述べると、基台１０の蛍光管基台部１１に反射部材６０を配設し、蛍光管５０を反射部材６０に巻かれる如く配設し、基台１０の導光部材基台部１２に導光部材３０を配設し、導光部材３０の上部に拡散部材４０を配設する。視角補正部材を用いる時は拡散板４０の上部に配設し、導光部材３０から放出される光の強度のバラツキが大きく、光調整板で光強度のバラツキを抑える必要がある時は、導光部材３０の上部に光調整板を配設する。
【００２４】
拡散部材４０の上部に液晶セル７０を配設し、液晶セル７０に接続されているＦＰＣ７１を基台１０に設けられた切欠部１４を通す如く配設する。
切欠部１４から基台１０の外に配設されたＦＰＣ７１は、基台１０の下方に配設された回路基板８０と接続するために、蛍光管５０の側方であり基台１０の側部を通過し回路基板８０と接続される。このため図２に示されている如く、ＦＰＣ７１の曲げ曲率は、従来の技術である図５に比べ大きくなっている。
液晶セル７０の上部には、基台１０を覆う如く支持部材２０を配設し、支持部材２０の切溝２１を基台１０のフック部１３に結合することで液晶表示ユニット１を組立てる。
【００２５】
図２では、液晶表示ユニット１と回路基板８０の電気的結合を、ＦＰＣ（可塑性プリント基板）７１で行なっており、ＦＰＣ７１の端部が回路基板８０に導電接着又はライン半田により接続された構成をなしているが、コネクタを使用して結合しても良い。
【００２６】
回路基板８０とＦＰＣ７１をコネクタにより結合する場合の組立て方法を述べると、コネクタの図を示していないが、前記の如く組立て完成した液晶表示ユニット１に於ける導光部材基台部１２の下部に、回路基板８０を回路基板８０のコネクタが下枠側に配置される如く配設する。ＦＰＣ７１の端部と回路基板８０をコネクタを介して接続した後、液晶表示装置２の下枠９０に液晶表示ユニット１と回路基板８０を配設し、その後上枠９５を配設して組立てを完了する。
液晶表示装置２の下枠９０には、電池部材を収納する電池ボックス９７が配設されている。
【００２７】
蛍光管５０のリード端子を回路基板８０に実装されている蛍光管駆動回路と接続する方法としては、蛍光管５０のリード端子を直接回路基板８０に半田付けまたはコネクタで接続しても良いが、図示していないが実施例では、蛍光管基台部１１の下部に補助基板を設けて、前記補助基板を介して蛍光管５０のリード端子と回路基板８０とを接続している。
【００２８】
【発明の効果】
以上の構成より、液晶パネルと蛍光管等で構成される照明装置が一体化して液晶表示ユニットを構成しているため、液晶表示ユニットのみを作業環境の良い場所で組み立て製造することにより製造設備の簡素化が達成でき、下枠や上枠に付着しているゴミの液晶表示ユニット内への侵入を防止でき液晶表示装置の画面品質向上と歩留向上が得られる。
【００２９】
また、導光部材基台部の厚みを蛍光管の管径より略薄くし、前記略薄くした部分に回路基板を配設したことで携帯に便利な、より薄型化及び小型化の携帯液晶表示装置が達成できる。
また支持部材を蛍光管の上部を覆う構成とすることで、蛍光管光が見切部まで漏れることを防ぐことができる効果を有す。
【００３０】
基台に凸部を配設し回路基板に設けた凹部又は穴に挿入する構成とすることで液晶表示ユニットの左右方向の動きを規制し、回路基板面で液晶表示ユニットの上下方向の動きを規制する作用により効果的な液晶表示ユニットの支持または固定が得られる。
このとき、回路基板側に凸部を配設して、基台側を凹部又は穴としても回路基板と液晶表示ユニットを支持または固定する効果は得られる。
【図面の簡単な説明】
【図１】本発明の実施例を示す液晶表示ユニット及び液晶表示装置の部分分解図である。
【図２】本発明の実施例を示す断面図である。
【図３】液晶表示装置の例を示す外観図である。
【図４】従来技術を示すための液晶表示装置図３のＡ−Ａ断面図である。
【図５】従来技術を示す液晶表示装置図３のＡ−Ａ断面図である。
【符号の説明】
１０        基台
１１        蛍光管基台部
１２        導光部材基台部
１３        フック部
１４        切欠部
２０        支持部材
２１        切溝
２２        見切部
９０        下枠
９５        上枠
【図１】
0003592351.tif 000002
【図２】
0003592351.tif 000003
【図３】
0003592351.tif 000004
【図４】
0003592351.tif 000005
【図５】
0003592351.tif 000006